(57)【要約】【課題】厨芥処理機の運転開始を就寝後に行い、送風手段のモーター駆動音に伴う就寝直後の眠りの妨げを防止する。【解決手段】厨芥処理機の運転・停止スイッチ２３を投入してから一定時間後に運転動作が開始されるＯＮタイマー設定スイッチ２４を設けた。【選択図】  図２
2004195404.tif 000002
【特許請求の範囲】
【請求項１】
厨芥処理機の本体ケース（１）と、該本体ケース（１）の開口部を覆う本体蓋（２）と、本体ケース（１）内に着脱自在に設置された厨芥収納容器（４）と、該厨芥収納容器（４）内の厨芥ごみを加熱する加熱手段Ａ（１２）と、厨芥収納容器（４）内の厨芥ごみを撹拌する回転撹拌刃（６）と、酸化触媒により該厨芥収納容器（４）から発生する臭気を脱臭する触媒脱臭器（１７）と、脱臭後の排気を本体ケース（１）より外部に排出する排気口（２１）を備えた厨芥処理機において、運転・停止スイッチ（２３）を投入してから一定時間後に運転動作が開始されるＯＮタイマー設定スイッチ（２４）を設けたことを特徴とする厨芥処理機。
【請求項２】
ＯＮタイマー設定スイッチ（２４）の一定時間を任意に調整することができることを特徴とする請求項１記載の厨芥処理機。
【発明の詳細な説明】
【０００１】
【従来の技術】
【発明の属する技術分野】
本発明は、一般家庭等で発生する厨芥ごみを乾燥して減容処理する厨芥処理機に関するものである。
【０００２】
【従来の技術】
厨芥ごみを乾燥して減容処理する従来の厨芥処理機として、例えば特開平７−８８４６３号公報に示すものがある。（例えば特許文献１）
これを図４により説明すると、４０は本体ケース、４１は厨芥収納容器で、この厨芥収納容器４１内には厨芥ごみを粉砕、撹拌する手段として固定刃４２と回転撹拌刃４３が設けられている。
【０００３】
固定刃４２は厨芥収納容器４１の下部内壁に設けられ、回転撹拌刃４３は厨芥収納容器４１の底面から突き出た回転軸４４に固定されている。この回転軸４４は撹拌モーター４５、減速装置４６を介して駆動軸４７と連結している。
【０００４】
厨芥収納容器４１の上方には厨芥ごみを加熱する加熱ヒーター４８と送風ファン４９が設けられている。
【０００５】
５０は送風ファン４９を駆動する送風モーターであり、厨芥収納容器４１および電熱ヒーター４８の上部に配置されている。そして加熱ヒーター４８と送風ファン４９によって厨芥ごみの表面上部を加熱し、この加熱された厨芥ごみを撹拌モーター４５によって駆動される回転撹拌刃４３によって破砕するようにしている。
【０００６】
また、厨芥収納容器４１の外周には外容器５１が設けられており、この外容器５１の上部開口部は蓋５２で覆われている。この蓋５２には空気を取り入れる空気取り入れ口５３が設けられている。そして、外側固定容器５１には厨芥収納容器４１内で発生した臭気を排出する排気口５４が設けられている。この排気口５４は連結パイプ５５と厨芥収納容器４１内で発生した臭気を無臭化する脱臭ヒーター５６ａと触媒５６ｂで構成された触媒脱臭器５６と、この触媒脱臭器５６によって脱臭された気体を本体外に排出する排気ファン５７に連通されている。
【０００７】
このように構成されたものにおいて、厨芥収納容器４１内に厨芥ごみが投入されて乾燥運転が開始されると、電熱ヒーター４８と送風ファン４９によって厨芥ごみの表面上部が加熱される。
【０００８】
それと同時に、厨芥ごみは固定刃４２と回転撹拌刃４３によって破砕されながら臭気を含む蒸気を発生する。そして臭気は触媒脱臭器５６によって脱臭され、排気ファン５７によって本体４０外に排出され、乾燥が行なわれる。
【０００９】
乾燥が終了すると、図示していないが、蓋５２の上面に運転・停止等の操作部として運転・停止スイッチ（図示せず）が設けられていて、手動でこの運転・停止スイッチを操作して運転を停止するか、又は乾燥した厨芥の温度や湿度を温度検知手段（図示せず）が検知して自動的に通電を停止させるものである。
【００１０】
【特許文献１】
特開平７−８８４６３号公報
【特許文献２】
特開平７−２６０３５６号公報
【特許文献３】
特開平７−２９４１３６号公報
【００１１】
【発明が解決しようとする課題】
しかしながら、上記従来の厨芥処理機においては、厨芥収納容器４１内に厨芥ごみを入れ、操作部の運転・停止スイッチを操作して運転を開始すると、その直後から送風ファン４９の回転や回転撹拌刃４３の撹拌動作が始まり（回転撹拌刃４３による撹拌動作はある過程を経てから動作を始めるものもある）、この時、送風モーター５０のモーター駆動音が伴うため、就寝直後に運転を開始した場合には眠りの妨げになってしまう等の問題があった。
【００１２】
【課題を解決するための手段】
そこで、本発明は、上記の課題を解決するためになされたもので、請求項１では厨芥処理機の本体ケースと、該本体ケースの開口部を覆う本体蓋と、本体ケース内に着脱自在に設置された厨芥収納容器と、該厨芥収納容器内の厨芥ごみを加熱する加熱手段と、厨芥収納容器内の厨芥ごみを撹拌する回転撹拌刃と、酸化触媒により該厨芥収納容器から発生する臭気を脱臭する触媒脱臭器と、脱臭後の排気を本体ケースより外部に排出する排気口を備えた厨芥処理機において、運転・停止スイッチを投入してから一定時間後に運転動作が開始されるＯＮタイマー設定スイッチを設けたものである。
【００１３】
また請求項２では、ＯＮタイマー設定スイッチの一定時間を任意に調整することができるようにしたものである。
【００１４】
これによって、就寝前に操作部の運転・停止スイッチをＯＮしても、その直後から送風ファンの回転や回転撹拌刃の撹拌動作に伴う駆動音が発生しないため、就寝直後の眠りを妨げることがなくなる。
【００１５】
【発明の実施の形態】
以下本発明の一実施例を図１、図２及び図３により説明する。
【００１６】
図１及び図２において、１は厨芥処理機の本体ケースである。２はこの本体ケース１の上部に開閉自在に取り付けられた本体蓋で、後部の蓋ヒンジ２ａにより本体ケース１の後部上方に枢支されている。３は本体ケース１内に取り付けられた外側固定容器である。４は厨芥収納容器で、外側固定容器３の内部に着脱自在に設置されている。
【００１７】
５は該厨芥収納容器４に設けた凸部（別部品を取り付ける例もある）で、該厨芥収納容器４の内壁の下部に設けられている。６は回転撹拌刃で、厨芥収納容器４内の下部に設置されており、厨芥収納容器４内の厨芥を撹拌するほかに、該凸部５と連携して厨芥ごみを破砕するものである。
【００１８】
７は被駆動回転軸で、厨芥収納容器４の底部に設けられ、その先端が回転撹拌刃６と連結しており、厨芥収納容器４の取り外しの際に容器ごと取り外されるものである。
【００１９】
８は回転駆動軸で、外側固定容器３の底部に取り付けられており、被駆動回転軸７と着脱自在に連結して被駆動回転軸７に回転力を伝えるものである。
【００２０】
９は電動モーターで、回転駆動軸８を回転させるための回転力を発生するものである。１０は減速機構で、電動モーター９の回転力を減速して回転駆動軸８に伝達するものである。
【００２１】
１１は内蓋で、本体蓋２内の下面に位置し、厨芥収納容器４、外側固定容器３及び該外側固定容器３の上部開口部を覆うように設けられている。
【００２２】
１２は加熱手段Ａで、シーズヒーターやマイカにニクロム線を巻いたヒーター等で構成され、後記送風手段１３Ａの吐き出し側で風路１６内に設置されている。
【００２３】
１３は送風手段Ａで、ターボファンやラジアルファンと、このファンを駆動するファンモーターとで構成され、加熱手段Ａ１２で加熱された空気を厨芥収納容器４内に送風するものである。
【００２４】
１４は該内蓋１１に開口加工された送風口、１５は送風口１４とは別に内蓋１１に開口加工された循環口で、送風手段Ａ１３、加熱手段Ａ１２、後記触媒脱臭器１７、送風口１４、厨芥収納容器４及び循環口１５にて風路１６を形成するものである。
【００２５】
１７は触媒脱臭器で、シーズヒーターやマイカにニクロム線を巻いたヒーター等よりなる加熱手段Ｂ１８と、例えばハニカム状セラミックにＡｔやＰｄ等酸化触媒物質を付着させた触媒とで構成されている。
【００２６】
１９は送風手段Ｂで、ターボファンやラジアルファンと、該ファンを駆動するファンモーターとで構成され、その吸い込み側は触媒脱臭器１７及び風路１６の所定の部位に開口加工された排気吸入口２０と接続され、吐き出し側は本体外部に空気を排出する排気口２１と連結されている。
【００２７】
２２は操作部で、本体ケース１上部の取り扱い容易な外郭部に設けられており、運転・停止スイッチ２３、ＯＮタイマー設定スイッチ２４（任意に設定できるものや選択すると一定の時間経過後に運転を開始するもの）及び通電中を知らせる表示ランプ等表示部２５が設けられている。
【００２８】
図３において、制御回路２６の入力側には前記した運転・停止スイッチ２３及びＯＮタイマー設定スイッチ２４が接続され、出力側には送風手段Ｂ１９、触媒脱臭器１７、加熱手段Ａ１２及び送風手段Ａ１３等が夫々接続されている。
【００２９】
本発明は上記の構成からなり、次にその動作について説明する。
【００３０】
厨芥ごみを厨芥収納容器４内に投入し、本体蓋２を閉じ、操作部２２の運転・停止スイッチ２３をＯＮすると、乾燥運転が開始される。まず、制御回路２６の加熱手段Ａ１２及び触媒脱臭器１７の加熱手段Ｂ１８に通電され、回転撹拌刃６の駆動用の電動モーター９が予め定められた時間だけ正転、逆転を繰り返す。また、送風手段Ａ１３及び送風手段Ｂ１９が動作する。
【００３１】
これにより、加熱手段Ａ１２と送風手段Ａ１３により熱風が作られ、送風口１４より厨芥収納容器４内に送られ、厨芥収納容器４内の厨芥ごみを加熱し、冷やされた（放熱した）熱風が循環口１５より吸引され、触媒脱臭器１７を通して再び送風手段Ａ１３に戻され、熱風が風路１６を循環する。熱風温度は温度センサー（図示せず）により加熱手段Ａ１２を通電制御して行われ、適温の熱風を厨芥収納容器４に吹き入れる。
【００３２】
また、同時に送風手段Ｂ１９により風路１６に設けた排気吸入口２０から循環熱風の一部が吸引され、触媒脱臭器１７を通して排気口２１より本体ケース１の外部に排出される。
【００３３】
この際、厨芥ごみが加熱されることにより発生する臭いや蒸気は触媒脱臭器１７内を通過する時、加熱手段Ｂ１８で高温に加熱された触媒（酸化触媒物質により適温は異なるが約３００℃〜５００℃）により酸化反応を促進させ、無色無臭の二酸化炭素や水蒸気に浄化されて排気口２１より本体内空気と混合して外部に排出される。
【００３４】
この状態で厨芥ごみの乾燥が進行していくと、厨芥収納容器４内の厨芥ごみの含水率が下がり、乾燥状態を検知するセンサー（温度センサーや湿度センサー等で図示せず）にて検知し、加熱手段Ａ１２への通電を止め、送風手段Ａ１３と送風手段Ｂ１９のみの駆動により厨芥収納容器４内の乾燥された厨芥ごみや本体ケース１を適当な時間冷却し、電源をＯＦＦして運転動作を終了する。
【００３５】
一方、操作部２２のＯＮタイマー設定スイッチ２４は、操作するとタイマー設定固定型の場合は一定の時間経過後に運転を開始し、任意に設定できる型は希望設定時間経過後に運転を開始する。
【００３６】
例えば就寝前の午後１１．００にＯＮタイマー設定スイッチ２４を操作して３時間後乾燥開始が行なわれるようにセットすると、翌日の午前２．００に運転動作が開始する。この時には既に熟睡しており、送風手段Ａ１２のモーター駆動音等があっても眠りの妨げになることがない。
【００３７】
このように、厨芥ごみを厨芥収納容器４内に投入後、ＯＮタイマー設定スイッチ２４を操作することで、予め設定された乾燥開始時間又は任意に設定できるものにおいてはお好みの設定時間経過後に運転を開始し、眠りの妨げを防止するものである。
【００３８】
この種の厨芥処理機において、運転停止の制御にタイマー機構を設けたものは、上記従来の技術の最後に特許文献２として提示した特開平７−２６０３５６号公報及び特許文献３として提示した特開平７−２９４１３６号公報等で公知である。
【００３９】
しかし、これらの従来技術においては、タイマー機構によって厨芥ごみを加熱乾燥する加熱ヒーターの通電時間を制御するものであって、前記した本発明のように、就寝直後の眠りの妨げを防止するためにＯＮタイマー設定スイッチ２４によって運転・停止スイッチ２３を投入してから一定時間後に運転動作を開始させるようにしたものではない。
【００４０】
【発明の効果】
以上説明したように本発明は、請求項１及び２に記載の構成によって厨芥収納容器に厨芥ごみを入れ、ＯＮタイマー設定スイッチを操作することにより予め設定された乾燥開始時間到達後に運転が開始するか、または任意に設定できるものにおいてはお好みの設定時間経過後に運転を開始し、運転時の気になるモーター駆動音による就寝の妨げを回避できる等の効果がある。
【図面の簡単な説明】
【図１】本発明の内部構造図である。
【図２】本発明の操作部の説明図である。
【図３】本発明の回路ブロック図である。
【図４】従来の内部構造図である。
【符号の説明】
１    本体ケース
２    本体蓋
４    厨芥収納容器
６    回転撹拌刃
１２    加熱手段Ａ
１３    送風手段Ａ
１７    触媒脱臭器
２１    排気口
２２    操作部
２３    運転・停止スイッチ
２４    ＯＮタイマー設定スイッチ
【図１】
2004195404.tif 000003
【図２】
2004195404.tif 000004
【図３】
2004195404.tif 000005
【図４】
2004195404.tif 000006
【手続補正書】
【提出日】平成15年4月25日(2003.4.25)
【手続補正１】
【補正対象書類名】明細書
【補正対象項目名】請求項１
【補正方法】変更
【補正の内容】
【請求項１】
厨芥処理機の本体ケース（１）と、該本体ケース（１）の開口部を覆う本体蓋（２）と、本体ケース（１）内に着脱自在に設置された厨芥収納容器（４）と、該厨芥収納容器（４）内の厨芥ごみを加熱する加熱手段Ａ（１２）と、厨芥収納容器（４）内の厨芥ごみを撹拌する回転撹拌刃（６）と、酸化触媒により該厨芥収納容器（４）から発生する臭気を脱臭する触媒脱臭器（１７）と、脱臭後の排気を本体ケース（１）より外部に排出する排気口（２１）を備えた厨芥処理機において、運転を行うスイッチ（２３）を投入してから一定時間後に運転動作が開始されるＯＮタイマー設定スイッチ（２４）を設けたことを特徴とする厨芥処理機。
【手続補正２】
【補正対象書類名】明細書
【補正対象項目名】００１２
【補正方法】変更
【補正の内容】
【００１２】
【課題を解決するための手段】
そこで、本発明は、上記の課題を解決するためになされたもので、請求項１では厨芥処理機の本体ケースと、該本体ケースの開口部を覆う本体蓋と、本体ケース内に着脱自在に設置された厨芥収納容器と、該厨芥収納容器内の厨芥ごみを加熱する加熱手段と、厨芥収納容器内の厨芥ごみを撹拌する回転撹拌刃と、酸化触媒により該厨芥収納容器から発生する臭気を脱臭する触媒脱臭器と、脱臭後の排気を本体ケースより外部に排出する排気口を備えた厨芥処理機において、運転を行うスイッチを投入してから一定時間後に運転動作が開始されるＯＮタイマー設定スイッチを設けたものである。


【手続補正３】
【補正対象書類名】明細書
【補正対象項目名】００１４
【補正方法】変更
【補正の内容】
【００１４】
これによって、就寝前に運転を行うスイッチをＯＮしても、その直後から送風ファンの回転や回転撹拌刃の撹拌動作に伴う駆動音が発生しないため、就寝直後の眠りを妨げることがなくなる。


【手続補正４】
【補正対象書類名】明細書
【補正対象項目名】００２７
【補正方法】変更
【補正の内容】
【００２７】
２２は操作部で、本体ケース１上部の取り扱い容易な外郭部に設けられており、運転と停止を行うスイッチ２３、ＯＮタイマー設定スイッチ２４（任意に設定できるものや選択すると一定の時間経過後に運転を開始するもの）及び通電中を知らせる表示ランプ等表示部２５が設けられている。


【手続補正５】
【補正対象書類名】明細書
【補正対象項目名】００３０
【補正方法】変更
【補正の内容】
【００３０】
厨芥ごみを厨芥収納容器４内に投入し、本体蓋２を閉じ、操作部２２の運転を行うスイッチ２３をＯＮすると、乾燥運転が開始される。まず、制御回路２６の加熱手段Ａ１２及び触媒脱臭器１７の加熱手段Ｂ１８に通電され、回転撹拌刃６の駆動用の電動モーター９が予め定められた時間だけ正転、逆転を繰り返す。また、送風手段Ａ１３及び送風手段Ｂ１９が動作する。


【手続補正６】
【補正対象書類名】明細書
【補正対象項目名】００３４
【補正方法】変更
【補正の内容】
【００３４】
この状態で厨芥ごみの乾燥が進行していくと、厨芥収納容器４内の厨芥ごみの含水率が下がり、乾燥状態を検知するセンサー（温度センサーや湿度センサー等で図示せず）にて検知し、加熱手段Ａ１２への通電を止め、送風手段Ａ１３と送風手段Ｂ１９のみの駆動により厨芥収納容器４内の乾燥された厨芥ごみや本体ケース１を適当な時間冷却し、電源をＯＦＦして運転動作を終了する。尚この厨芥ごみの乾燥途中で運転を停止する場合には運転の停止を行うスイッチ２３をＯＦＦにすればよい。
【手続補正７】
【補正対象書類名】明細書
【補正対象項目名】００３９
【補正方法】変更
【補正の内容】
【００３９】
しかし、これらの従来技術においては、タイマー機構によって厨芥ごみを加熱乾燥する加熱ヒーターの通電時間を制御するものであって、前記した本発明のように、就寝直後の眠りの妨げを防止するためにＯＮタイマー設定スイッチ２４によって運転を行うスイッチ２３を投入してから一定時間後に運転動作を開始させるようにしたものではない。